(57)【要約】【課題】定量の液体を計量よく簡便にスプレー缶内に注入できるようにする。【解決手段】Ｔ型外管１３の一端部に設けた弁開閉レバー１４の偏心した位置に、弁開閉レバー１４の回動によりスライドするシャフト１９の一端部を取り付け、Ｔ型外管１３の他端部に設けた弁に上記シャフト１９の他端部を固定し、このＴ型外管１３の他端部に液体タンクの出口部に螺合されるキャップ２２を取り付け、Ｔ型外管の下端部に透明な計量タンク２９を取り付け、この軽量タンク２９の下端部に、通常コイルスプリング３２の弾発力で閉ざされ、このコイルスプリング３２に抗してスライド部材３１が押し上げられたときに開く弁機構を設けた。【選択図】        図３
2004167425.tif 000002
【特許請求の範囲】
【請求項１】
スプレー缶本体の上端部に固着した口金の開口部より、定量の液体を定量液注入装置を用いてスプレー缶本体内に注入し、上記口金の開口部を、噴射バルブ付きのキャップで閉ざしたあと、スプレー缶本体の底部に設けたエア注入バルブより、加圧エアを所定圧注入することで、スプレー缶を繰り返し使用可能としたスプレー缶システムにおいて、
Ｔ型外管の一端部に設けた弁開閉レバーの偏心した位置に、弁開閉レバーの回動によりスライドするシャフトの一端部を取り付け、上記Ｔ型外管の他端部に設けた弁に上記シャフトの他端部を固定し、このＴ型外管の他端部に液体タンクの出口部に螺合されるキャップを取り付け、上記Ｔ型外管の下端部に透明な計量タンクを取り付け、この軽量タンクの下端部に、通常コイルスプリングの弾発力で閉ざされ、このコイルスプリングに抗してスライド部材が押し上げられたときに開く弁機構を設けたことを特徴とするスプレー缶システムにおける定量液注入装置。
【発明の詳細な説明】
【０００１】
【発明の属する技術分野】
本発明は、スプレー缶システムにおける定量液注入装置に関する。
【０００２】
【従来の技術】
自動車整備工場などで使用されるブレーキ洗浄用スプレー缶は、使い捨てであり、空缶の廃棄や放出されるスプレーガスによる環境への悪影響が問題となっている。
そこで、ブレーキ洗浄液を充填式にするとともに、スプレーガスに代えてエアを用いたスプレー缶が提案されている。
【０００３】
このような繰り返し使用可能にしたスプレー缶としては、特開平８−１５６９８４号の公報に記載されるものなどがある。また、洗浄液の入ったタンクから定量の洗浄液をスプレー缶に注入する装置としては、特開平８−２８１１６１号の公報に記載されるものなどが提案されている。
【０００４】
【発明が解決しようとする課題】
このような充填式のスプレー缶では、缶内の洗浄液がすべて噴射されるだけのエア圧が保証されており、スプレー缶内には定量の洗浄液を注入するとともに、所定圧の加圧エアを充填する必要がある。
【０００５】
本発明は、このような従来の技術が有する課題を解決するために提案されたものであり、定量の液体を計量よく簡便にスプレー缶内に注入できる定量液注入装置を提供することを目的とする。
【０００６】
【課題を解決するための手段】
まず、図８を参照してスプレー缶システムについて説明する。
携帯用のスプレー缶Ａは、内部の洗浄液などの液体Ｂを加圧エアによってスプレーできる。液体Ｂを使い切ったあとは、スプレー缶ＡのキャップＤを取り外したあとの上部口金の開口より、液体タンクＦ内の液体Ｂを定量液注入装置Ｈを用いてスプレー缶Ａ内に定量注入する。その後、スプレー缶Ａの底部のエア注入バルブＣを介して、加圧ボンベ（加圧装置）Ｅよりエア注入具Ｇを用いてスプレー缶Ａ内に加圧エアを所定圧注入する。
このように本発明に係るスプレー缶システムでは、液体Ｂと加圧エアを充填式としたので、スプレー缶Ａは繰り返し使用可能となっている。
【０００７】
このスプレー缶システムにおける本発明による定量液注入装置は、Ｔ型外管の一端部に設けた弁開閉レバーの偏心した位置に、弁開閉レバーの回動によりスライドするシャフトの一端部を取り付け、上記Ｔ型外管の他端部に設けた弁に上記シャフトの他端部を固定し、このＴ型外管の他端部に液体タンクの出口部に螺合されるキャップを取り付け、上記Ｔ型外管の下端部に透明な計量タンクを取り付け、この軽量タンクの下端部に、通常コイルスプリングの弾発力で閉ざされ、このコイルスプリングに抗してスライド部材が押し上げられたときに開く弁機構を設けた構成としてある。
【０００８】
【発明の実施の形態】
以下、本発明の実施の形態を図面に基づき詳細に説明する。
まず、図１および図２を参照してスプレー缶の構成を簡単に説明する。
スプレー缶本体１の上部開口部には口金２がカシメることで固着されている。この口金２には、キャップ３がピン４による結合により、着脱自在に取り付けられている。このキャップ３の内側には、噴射バルブ５を取り付けた筒部６が固着されており、この筒部６が口金２内周部のＯリング７に嵌着されることで、缶本体１内の気密性が保持されるようになっている。
【０００９】
噴射バルブ５の上部には、噴射ノズルの押しボタン８が取り付けられている。図中、符号の９は液体吸い上げ用のチューブである。
このスプレー缶では、キャップ３を外して口金２の開口部を開き、本発明による定量液注入装置を用いて液体タンクから定量の液体を缶本体１内に注入する。
【００１０】
その後、キャップ３を閉ざし、スプレー缶本体１底部のエア注入バルブ１０より加圧装置を用いて缶本体１内に加圧エアを所定圧充填する。
このスプレー缶では、キャップ３上部に取り付けられたノズルレバー１１を握ることで、噴射バルブの押しボタン８が押され、ノズルパイプ１２の先端より缶内の洗浄液などの液体が加圧エアにより噴射されるようになっている。
【００１１】
つぎに、図３乃至図５を参照して定量液注入装置の構成を説明する。
Ｔ型外管１３の一端部の上下部には、上下に回動する弁開閉レバー１４が嵌まり込む溝１５が切り欠かれている。また、外管１３一端部にはシャフト受け１６が嵌着されている。このシャフト受け１６の中心孔１７にはＯリング１８によって気密保持されたシャフト１９がスライド自在に挿通されている。シャフト１９の一端部は、弁開閉レバー１４の偏心した位置にピン２０により取り付けられている。図中、符号の２１は、シャフト受けから突出された、弁開閉レバー１４の回動案内部材である。
【００１２】
Ｔ型外管１３の他端部には、キャップ２２とシール部材２３を挟み込んだ状態で、筒状の弁受け２４が固着されている。図中、符号の２５は、キャップ２２を補強するためのフランジである。シャフト２２の他端部には、Ｏリング２６によって気密保持される弁体２７が袋ナット２８によって固定されている。
【００１３】
このように構成される弁開閉機構では、弁開閉レバー１４を下側に回動させてロックさせた場合、弁体２７が弁受け２４側に閉ざされた状態となる。一方、弁開閉レバー１４を上側に回動させてロックさせた場合は、弁体２７が弁受け２４側から離れて弁が開かれた状態となる（図６参照）。
【００１４】
Ｔ型外管１３の下端部には、透明なプラスチック製からなる計量タンク２９が固着されている。このタンク２９には、スプレー缶に注入する液体の量を計るための目盛が印されている。
【００１５】
この計量タンク２９の下端部には、筒状の弁受け３０が固着されている。この弁受け３０の内周部には、筒状のスライド部材３１がスライド自在に嵌め込まれている。弁受け３０とスライド部材３１の段部間には、コイルスプリング３２が嵌装されている。また、スライド部材３１の開口側内周段部３３には、スプリング受け３４が固定されており、このスプリング受け３４にシャフト３５の下端部が袋ナット３６によって固定されている。
このシャフト３５の上端部にはＯリング３７によって気密保持される弁体３８が、弁受け３０に対峙された状態で袋ナット３９によって固定されている。
【００１６】
このような弁開閉機構では、通常はコイルスプリング３２の弾発力によって弁体３８が弁受け３０側に閉ざされた状態となっている。一方、スライド部材３１がコイルスプリング３２に抗して押し上げられると、弁体３８が弁受け３０から離れて弁が開かれた状態となる（図７参照）。
【００１７】
つぎに、このように構成される定量液注入装置の動作を説明する。
まず、図６に示すように弁体２７側のキャップ２２を、液体タンク４０の出口部４１に螺着させる。この状態で弁開閉レバー１４を上方に回動させると、弁体２７が開いて、液体タンク４０内の液体４２が弁体２７を抜けて計量タンク２９内に入る。計量タンク２９の目盛を目視しながら、定量の液体４２がタンク２９内に流入したことを確認したあとは、弁開閉レバー１４を下方に回動させて弁体２７を閉ざす。
【００１８】
続いて、スプレー缶のキャップ３を外し、口金２内周下部の段部４３に、定量液注入装置の下端部のスライド部材３１をあてがい、スプレー缶を上方に押し上げると、図７に示すように弁体３８が開いて、計量タンク２９内の液体４２がスプレー缶本体１内に注入される。計量タンク２９内の液体４２が全てスプレー缶本体１内に注入されたことが確認されたあとは、スプレー缶を定量液注入装置から外せば、弁体３８が閉じて待機状態となる。
この動作により、定量の洗浄液などの液体をスプレー缶内に注入することができる。
【００１９】
【発明の効果】
以上説明したように本発明によれば、弁開閉レバーを操作するだけで、液体タンクより定量の液体を計量タンクに注入することができる。
また、スプレー缶の口金を、弁機構のスライド部材に押し当てるだけで、計量タンク内の液体をスプレー缶に移し変えることができる。
このように本発明によれば、簡便な操作で計量よく定量の液体をスプレー缶に注入できるという利点がある。
【図面の簡単な説明】
【図１】本発明に係るスプレー缶を示す側面図である。
【図２】上記スプレー缶の口金部分の構造を示す断面図である。
【図３】本発明による定量液注入装置を示す縦断面図である。
【図４】上記定量液注入装置図の要部を示す正面である。
【図５】上記定量液注入装置図の要部を示す底面図である。
【図６】上記定量液注入装置の動作を示す縦断面図である。
【図７】上記定量液注入装置の動作を示す縦断面図である。
【図８】スプレー缶システムを示す説明図である。
【符号の説明】
１  スプレー缶本体
２  口金
３  キャップ
４  ピン
５  噴射バルブ
６  筒部
７  Ｏリング
８  押しボタン
９  液体吸い上げ用のチューブ
１０  エア注入バルブ
１１  ノズルレバー
１２  ノズルパイプ
１３  Ｔ型外管
１４  弁開閉レバー
１５  溝
１６  シャフト受け
１７  中心孔
１８  Ｏリング
１９  シャフト
２０  ピン
２１  回動案内部材
２２  キャップ
２３  シール部材
２４  弁受け
２５  フランジ
２６  Ｏリング
２７  弁体
２８  袋ナット
２９  計量タンク
３０  弁受け
３１  スライド部材
３２  コイルスプリング
３３  段部
３４  スプリング受け
３５  シャフト
３６  袋ナット
３７  Ｏリング
３８  弁体
３９  袋ナット
４０  液体タンク
４１  出口部
４２  液体
４３  段部
【図１】
2004167425.tif 000003
【図２】
2004167425.tif 000004
【図３】
2004167425.tif 000005
【図４】
2004167425.tif 000006
【図５】
2004167425.tif 000007
【図６】
2004167425.tif 000008
【図７】
2004167425.tif 000009
【図８】
2004167425.tif 000010